(57)【特許請求の範囲】
【請求項１】
操作面又は表示面を有する一方のパネル部と、当該一方のパネル部が取り外し可能な状態で支持部に取り付けられることで構成されるパネル体を備えた電子機器であって、
上記支持部の姿勢を変化させるための駆動機構を設けるとともに、上記一方のパネル部の取り外し位置で上記支持部が機器の手前側に傾いた状態に規定され、
上記支持部が操作面又は表示面を有する他方のパネル部になっている
ことを特徴とするパネル体を備えた電子機器。
【請求項２】
請求項１に記載のパネル体を備えた電子機器において、
一方のパネル部が取り外された後に、駆動機構により支持部（他方のパネル部）が後退してその姿勢が取り外し前の元の位置に復帰するようにした
ことを特徴とするパネル体を備えた電子機器。
【発明の詳細な説明】
【０００１】
【発明の属する技術分野】
本発明は、操作面又は表示面を有する脱着可能なパネル部を備えた電子機器において、パネルの取り外しを容易に行えるようにするための技術に関する。
【０００２】
【従来の技術】
複数の操作キーを配置した操作面や、複数の表示素子を配置した表示面が、パネル体（操作パネル）に設けられた電子機器が知られており、例えば、カセットプレーヤ、光学式ディスクプレーヤ、ラジオ受信用チューナー等の音響装置が挙げられる。
【０００３】
そして、操作面や表示面をもったパネル部が脱着可能な状態でパネル体に取り付けられるように構成したものが知られている。
【０００４】
【発明が解決しようとする課題】
ところで、従来の装置においてパネル部の取り外しに対する充分な配慮がなされていないために、パネル体からパネル部を取り出し難いといった問題がある。
【０００５】
特に、車載用機器（音響機器等）のように、狭い場所で取り外しの作業を行う必要があったり、あるいは急いでいるとき等において当該作業を簡単に行えないのは面倒であり、装置の使い勝手が良くない。また、パネル部の取出方向に障害物が存在しないことが必要であり、機器の設置場所が制約を受けるといった不都合が生じる。
【０００６】
そこで、本発明は、パネル部の取り外しを容易にかつ手早くに行えるようにすることを課題とする。
【０００７】
【課題を解決するための手段】
本発明は、上記した課題を解決するために、操作面又は表示面を有する一方のパネル部と、当該一方のパネル部が取り外し可能な状態で支持部に取り付けられることで構成されるパネル体を備えており、支持部の姿勢を変化させるための駆動機構を設けるとともに、一方のパネル部の取り外し位置で支持部が機器の手前側に傾いた状態に規定され、支持部が操作面又は表示面を有する他方のパネル部になっているものである。
【０００８】
従って、本発明によれば、一方のパネル部を取り外す際に、その支持部（他方のパネル部）の姿勢が機器の手前側に傾いた状態となるので、一方のパネル部を支持部（他方のパネル部）から容易かつ迅速に取り外すことができる。
【０００９】
【発明の実施の形態】
本発明は、パネル体を備えた電子機器に関するものであり、操作面又は表示面を有するパネル部と、当該パネル部が取り外し可能な状態で支持部（支持フレームあるいはベース部）に取り付けられることで構成されるパネル体を備えている。
【００１０】
図１乃至図１８は、本発明を、車載用音響機器（光学式ディスクプレーヤ等）に適用した例を示しているが、これに限らず、各種の装置に広く適用することができる。また、図示する適用例では、パネル体の表裏両面に、操作又は表示面を有するパネル部がそれぞれ設けられている（２つのパネル部を有する。）。
【００１１】
図１は電子機器１の正面図であり、本体部２とパネル体３とを備えている。尚、本図では、パネル体に設けられた２つのパネル部３Ａ、３Ｂのうち、その一方３Ｂが前方に呈示された状態を示している。
【００１２】
本体部２の前面２ａには、ディスク状記録媒体に対する挿脱口４が設けられるとともに、遠隔操作装置（所謂リモートコマンダ）の受信部等が設けられている。
【００１３】
パネル部３Ｂの表面のうち、操作面５には多数の操作釦が配置されている。即ち、操作面５の長手方向における左右両端寄りの位置には操作部６、７がそれぞれ配置されており、図の左側に位置された操作部６は多数の操作釦６ａ、６ａ、…から構成されている。同様に、図の右側に位置された操作部７は多数の操作釦７ａ、７ａ、…から構成されている。
【００１４】
操作部６と７の間には表示面８が位置しており、液晶式表示装置（ＬＣＤ）等が用いられ、例えば、時計表示、音量表示、曲目や周波数等の各種表示を行う。
【００１５】
また、表示面８の下方には、操作釦９ａ、９ａ、…が横一例に配置されて成る操作部９が設けられている。
【００１６】
尚、操作部６の左脇に配置された操作釦１０は、「クローズ」用釦である（その役割については後述する。）。
【００１７】
図２は、本体部２とパネル体３を側面からみた様子を示しており、本体部２に対してパネル体３が閉じられた状態となっている。
【００１８】
本例では、パネル部３Ａだけが取り外し可能な状態でパネル体３に取り付けられる構成となっているので、パネル部３Ａに対してパネル部３Ｂが支持部（あるいはベース部）の役割を果たす。
【００１９】
図２の矢印Ｂに示す方向から見た場合に、パネル部３Ｂを示したものが図３であり、パネル体３が閉じられた状態でパネル部３Ｂを本体部２の側から見ているため、図１に示したパネル部とは上下及び左右が反対の状態となっている。尚、操作面についてはシルバー等のメタリック色とされている。
【００２０】
図２の矢印Ａに示す方向から見た場合に、パネル部３Ａを示したものが図４である。尚、本例では、上記表示面８と同様の内容を表示するための表示面１１と、その両脇にそれそれ設けられた表示部１２、１２（例えば、イコライザー表示用のインジケータ等）が設けられている。尚、表示面１１には液晶表示装置（ＬＣＤ）が用いられており、この表示面１１については、ユーザーが視認し易いように、その大きさが上記表示面８に比して大きくされている。また、パネル部３Ａについてはブラックのパネルが使用され、電源の供給時において表示素子の光輝により表示がなされ、電源供給がなされていない時や、パネル部３Ａが取り外された状態では黒くて何も見えない状態とされる。
【００２１】
パネル部３Ａの左上の位置に設けられた操作釦１３は、「オープン」用釦である（その役割については後述する。）。
【００２２】
以上のように、２つのパネル部３Ａ、３Ｂは、それぞれに操作面と表示面をもっており、各々が独立したパネルとしての機能（つまり、操作釦の操作や表示）を有している。
【００２３】
尚、これらのパネル部については、操作面又は表示面の一方だけをもった構成とすることも勿論可能である。また、パネル部３Ａを取り外した場合における当該パネル部の機能については、これを遠隔操作装置として使用できるようにしたり、あるいは、パネル部を操作のための鍵部材として使用する（つまり、パネル部３Ａを装置から取り外した場合には、本体部に対する操作を行えないようにする等。）といった、各種の実施形態が可能である。
【００２４】
図５及び図６は、パネル部３Ａの取り付けについて説明するためのものであり、図５はパネル部３Ｂの裏面を示しており、図６はこれに対応するパネル部３Ａ側の面を透視図（パネル部３Ａの裏面を表面側から透視して示す図）として示したものである。尚、これらの図において、「Ｙ」軸がパネル部３Ａの脱着方向を示しており、これに直交して各パネル部の長手方向に延びる軸が「Ｘ」軸とされ、Ｙ軸及びＸ軸に直交して紙面に垂直に延びる軸が「Ｚ」軸とされる。また、パネル部３Ａをパネル部３Ｂから取り外した状態では、装置の外観に関して、図５に示すように、操作面や表示面が全く欠落した状態となり、一見して何の装置であるかが分からなくなるので、パネル部３Ａを脱着自在な構成にすることは、防犯の観点からも有効である。
【００２５】
図７及び図８は、パネル部３Ｂに対してパネル部３Ａが取り付けられる様子を概略的に示しており、図７は取り付け直前の状態を示し、図７は取り付け後の状態を示している。尚、これらの図における上記Ｘ、Ｙ、Ｚ軸の設定については、Ｚ軸が各パネル部の厚み方向に延び、これに直交するＸ軸が各パネル部の長手方向に延びており、Ｙ軸は紙面に垂直に延びる軸とされる。
【００２６】
図５に示すように、パネル部３Ｂの長手方向における両端部には、板バネ等の弾性体で形成されたフック１４、１４がそれぞれ設けられており、互いに内側を向いた状態でパネル部３Ｂの裏面に取り付けられている。これらのフックの形状については、図７、図８に示すように、パネル部３Ｂの表示面１１等の側に折り曲げられた部分１４ａ、１４ａと、当該部分から山形に屈曲されて「レ」字状をなした係合部（先端部）１４ｂ、１４ｂとを有している。
【００２７】
パネル部３Ｂの裏面の中央よりやや左方に寄った場所には、コネクタのソケット１５が設けられている。当該ソケット１５は、後述するパネル部３Ａに設けられたプラグ（１９）に結合されるようになっている。
【００２８】
ソケット１５の右上には係合軸１６が裏面からＺ軸方向に突設されており、これは後述するパネル部３Ａに設けられたフック部材（２０）に係合されるものである。
【００２９】
パネル部３Ｂの裏面における中程には、結合検出用スイッチ１７が設けられており、当該スイッチによってパネル部３Ａがパネル部３Ｂに装着されたか否かの検出が行われる。
【００３０】
パネル部３Ａについては、図６に示すように、長手方向における両端部に上記したフック１４、１４に対応してガイド１８、１８がそれぞれ形成されている。これらのガイドについては、図７、図８に示すように、パネル部３Ａのうち、パネル部３Ｂへの取り付け面となる部分の側面に溝１８ａ、１８ａが形成されており、図８に示す状態では、これらの溝に上記フック１４、１４の係合部１４ｂ、１４ｂがそれぞれ係合される。
【００３１】
図６に示すパネル部３Ａの裏面において、上記ソケット１５に対応する位置にはプラグ１９が設けられており、当該プラグはソケット１５とともにコネクタ（脱着可能な電気的接点を有するデタッチコネクタ）を構成しており、当該コネクタを介して両パネル部の間でデータ通信が行われるようになっている。
【００３２】
また、図６においてプラグ１９の右上であって、上記係合軸１６にほぼ対応した位置にはフック部材２０が設けられており、Ｘ軸方向に沿って移動可能な状態でパネル部３Ａに取り付けられている。
【００３３】
図９は、係合軸１６とフック部材２０との係合関係について要部を示したものである。尚、本図におけるＸ、Ｙ、Ｚ軸については図５、図６の設定と同じである。
【００３４】
フック部材２０については、Ｘ軸に沿う▲１▼の方向に移動可能とされていて、弾性部材（引張コイルバネ）２１に力によってＸ軸に沿う▲２▼の方向（▲１▼に示す方向とは反対の方向）に付勢されたスライド板２０ａと、これに一体に形成されたフック部２０ｂを備えており、本図では、フック部２０ｂが係合軸１６に係止された状態となっている。尚、フック部２０ｂのうち係合軸１６に係止される部分にはＸ軸方向に対して傾斜した斜面２０ｃが形成されている。
【００３５】
パネル部３Ａをパネル部３Ｂに対して結合させる場合には、先ず、図７に矢印Ｐで示すように、パネル部３Ａをパネル部３Ｂに対して押し込んでいくと、ガイド１８、１８がフック１４、１４の係合部１４ｂ、１４ｂに当接してこれらを押し退けようとするため、矢印Ｑ、Ｑに示すように、フック１４、１４はその弾性によって撓んだ状態となる。
【００３６】
そして、さらにパネル部３Ａを押し込んで完全に装着した状態では、フック１４、１４の係合部１４ｂ、１４ｂがガイド１８、１８の溝１８ａ、１８ａにそれぞれ係合された状態となり、これによって、パネル部３ＡはＺ軸方向及びＸ軸方向への動きが規制される。
【００３７】
よって、パネル部３ＡについてはＹ軸方向への移動の可能性が残されるが、図９に示すように、フック部材２０のフック部２０ｂが係合軸１６に係止された状態となるため、Ｙ軸方向への移動が規制されてしまう。これにより、図８の状態でパネル部３Ａは各軸方向ともに身動きのとれない状態で保持されることになる。
【００３８】
尚、パネル部３Ａをパネル部３Ｂから取り外す際には、図９において、パネル部３Ａを矢印「Ｐｙ」方向に引き抜く。Ｙ軸方向（取出方向）への荷重がある一定の大きさになったときに、フック部材２０の斜面２０ｃと係合軸１６との接触部における反力Ｆの分力「Ｆｘ」によって、フック部材２０は、弾性部材２１の力に逆らって▲１▼の方向に動いていく。そして、係合軸１６に対するフック部２０ｂの係止状態が解除されると、パネル部３Ａに対するＹ軸方向への移動規制が解かれるため、当該パネル部３Ａをパネル部３Ｂから容易に取り外すことができる。
【００３９】
上記のように、フック１４の係合部１４ｂとガイド１８の溝１８ａとの係合によって上記したＺ軸方向及びＸ軸方向におけるパネル部３Ａの動きを規制するとともに、フック部材２０のフック部２０ｂと係合軸１６の係止によってＹ軸方向におけるパネル部３Ａの動きを規制するという、比較的簡単な機構を使ってパネル部３Ａをパネル部３Ｂに結合させ、あるいはパネル部３Ａをパネル部３Ｂから取り外すことができるので、使い勝手が良く、しかも部品点数が比較的少ないので、コスト面で有利である。
【００４０】
また、図８に示す状態では、パネル部３Ａのプラグ１９がパネル部３Ｂのソケット１５に結合された状態となっており、両者を含むデタッチコネクタの結合により表示データ等が両パネル部に亘って行われるが、プラグ１９を鍵に見立て、ソケット１５をそれに対応した鍵穴に見立て、両者が一対一の関係となるように規定すると、パネル部３Ａを一種の鍵（キー部材）として用い、これをパネル体あるいはパネル部３Ｂに取り付けた場合にのみ、装置の操作（動作）を行うことができるように構成することができる。即ち、本体部内の図示しない制御部が、プラグ１９とソケット１５との接続（電気的接点の接続）を検知した場合に、装着されたパネル部の認証を行って、当該パネル部が果たして正規に使用して良いものかどうかを判断する。そして、正規のパネル部であることの認証手続が済んだ場合に、制御部が装置の操作を正式に許可すれば良い（マイクロコンピュータを用いたソフトウェア処理によって容易に実現できる。）。
【００４１】
即ち、電子機器１内に設けられたマイクロコンピュータの不揮発性ＲＯＭには、予め、暗証番号（認識コード）が記憶されていて、本来、この電子機器１と対応するパネル部３Ａであるならば、当該電子機器１の暗証番号と一対一で対応する（一致する）暗証番号がこのパネル部３Ａ内のメモリに書き込まれている。従って、電子機器１、即ち、パネル部３Ｂのソケット１５にパネル部３Ａのプラグ１９を差し込んだときに、ソケット１５とプラグ１９が接続され、電子機器１から電源供給を受けてパネル部３Ａの暗証番号が電子機器１の暗証番号と一致しているか否かが検出される。そして、両者が一致していればパネル部３Ａにて電子機器１を操作できるが、両者が一致していなければ、電子機器１と対応していないパネル部であることが判明し、当該電子機器を操作できないようにガードされる。尚、パネル部が取り外されている状態では、装置の操作が不可能となるので、盗難防止としてセキュリティ面でも安全である。
【００４２】
ところで、図２に示す状態では、パネル体が閉じられた状態になっており、よって、パネル部３Ａの操作面や表示面だけが外観に現出される（パネル部３Ｂの操作面や表示面は隠されている）。
【００４３】
パネル部３Ｂを使用するには、パネル体を図２の状態から前方に開いた状態にして、その操作面や表示面を露呈させる必要がある、つまり、パネル部３Ａを取り付けた状態では、パネル体３において、２つのパネル部３Ａと３Ｂとが背中合わせになっているので、パネル体３の姿勢を変化させるための駆動機構を設け、第１の状態ではパネル部３Ａがパネル体を代表して、操作及び表示の主体となり、また、第２の状態では、パネル部３Ｂがパネル体を代表して、操作及び表示の主体となるように構成すれば良い。
【００４４】
図１０乃至図１６は、パネル体やその支持部の姿勢を変化させるための駆動機構についての要部を示すものであり、駆動カムと２つのアーム部材（透視した状態で示す。）を用いた構成例を示している。
【００４５】
図１０に示すように、円盤状をした駆動カム２２は、その中心２２ａの回りに回転されるようになっており、例えば、モータを駆動源とし、ウォーム及びウォームホイールを使った既知の機構によって制御される。
【００４６】
駆動カム２２には、Ｃ字状をした２つのカム２３、２４が形成されていて、一方のカム２３が回転中心２２ａに近い内側に配置され、その外側にカム２４が配置されている。
【００４７】
そして、駆動カム２２の外周面については、回転中心２２ａを基準として半径が大きくされた周面部２５と、当該周面部２５より半径が小さくされた周面部２６とがそれぞれ所定の角度範囲をもって形成されている。
【００４８】
駆動カム２２に対して設けられた検出手段（検出スイッチ）２７、２８のうち、一方の検出手段２７は本体部２に対するパネル体３の開閉状態を検出するものであり、また、他方の検出手段２８は、パネル部３Ａの取り外しを容易に行える取り外し位置（あるいは取り出し位置）を検出するものである。尚、検出手段２７については、その検出子２７ａに係る３状態の検出によってオープン位置、中立位置、クローズ位置に応じた検出信号が得られるようになっている（図には、２点鎖線で示す中立位置に対して、検出子２７ａが駆動カム２２の周面部２５に当接されて左方に回動された状態になっている。）。また、検出手段２８についてはポジション検出用とされ、その検出子２８ａに係る２状態の検出によって、パネル体３が取り外し位置に来たか否かを示す検出信号が得られるようになっている（図には、２点鎖線で示す検出子２８ａの突出位置に対して、当該検出子が駆動カム２２の周面部２５に当接されて引っ込んだ状態になっている。
【００４９】
図１１はパネル体の駆動部について構成例を示したものである。
【００５０】
パネル体３の支持部であるパネル部３Ｂは、支持アーム、即ち、第１のアーム２９及び第２のアーム３０によって支持されるとともに、その姿勢が制御される。尚、各駆動アームの一端部が本体部２から外に突出されてパネル部３Ｂを側面で支持している。
【００５１】
第１のアーム２９については、その回動支点２９ａが本体部２の側面に取り付けられており、当該アームの一端部に設けられた係合部２９ｂが上記したカム２３の凹部に係合され、駆動カム２２の回転に伴って、回動支点２９ａを中心とする矢印Ｒ１に示すように回動されるようになっている。アーム２９のうちほぼＶ字状をした一端（係合部２９ｂが形成されていない方の端部）からハの字状に連続して延びる部分の先端には係合突部２９ｃが形成されており、これはパネル部３Ｂの長手方向における端部（上記したフック１４が取り付けられた部分）に形成されたスライド溝３１（上記Ｙ軸方向に沿って延びている。）に係合されている。よって、係合部２９ｂがカム２３に係合されて駆動されるとき、当該係合部が力点とされ、係合突部２９ｃが作用点とされる。
【００５２】
第２のアーム３０については、その回動支点３０ａが本体部２の側面に取り付けられており、当該アームの一端部に設けられた係合部３０ｂが上記したカム２４の凹部に係合され、駆動カム２２の回転に伴って、回動支点３０ａを中心とする矢印Ｒ２に示すように回動されるようになっている。そして、アーム３０のうち、係合部３０ｂが形成されている方とは反対側に位置する部分がクランク状に屈曲されていて、その先端部が、回動支持部３０ｃとして、パネル部３Ｂの長手方向における端部（上記スライド溝３１からやや離れた位置）に取り付けられている。つまり、パネル部３Ｂは回動支持部３０ｃを支点として回動し得る状態でアーム３０に支持されている。尚、係合部３０ｂがカム２４に係合されて駆動されるとき、当該係合部が力点とされ、回動支持部３０ｃが作用点とされる。
【００５３】
尚、図にはパネル体について一方の側面だけを示すが、他方の側面も同様のアームによって支持されている。
【００５４】
以上のように、駆動カム２２やアーム２９、３０、検出手段２７、２８を用いてパネル部の駆動機構（図示しないモータや動力伝達機構等を含む。）が構成されている。
【００５５】
図１０に示す駆動カム２２に形成されたそれぞれのカム２３、２４の凹部に対して、上記アーム２９、３０の係合部２９ｂ、３０ｂを係合させた状態で示したものが図１２であり、本体部２に対してパネル体３が閉じられた状態、あるいは、パネル体３に取り付けられたパネル３Ａを使って操作や表示を行う状態（前記した第１の状態）を示している。
【００５６】
図示するように、カム２３について二点鎖線で示す軌跡Ｍは、当該カム内におけるアーム２９の係合部２９ｂの位置に対応するものであり、図では、当該係合部がカム２３の一方の端（左端）に来ている。そして、アーム２９の係合突部２９ｃについてはスライド溝３１における一方の端寄りの位置（図では上端寄りの位置）にある。
【００５７】
また、カム２４について、一点鎖線で示す軌跡Ｎは、当該カム内におけるアーム３０の係合部３０ｂの位置に対応するものであり、図では、当該係合部がカム２４の一方の端（右端）に来た状態となっている。
【００５８】
検出手段２７の検出子２７ａは、駆動カム２２の周面部２５によって図の左方に押されて回動された状態となっており、これによってパネル体３が閉まった状態（クローズ位置）であることが検知される。また、検出手段２８の検出子２８ａについては、駆動カム２２の周面部２５によって引っ込んだ状態とされる。
【００５９】
尚、図中に丸印で示す「ＰＭ」は、駆動カム２２の位相を分かり易く示すための目印（ポジジョンマーク）である。図１２では、検出手段２８に対応する位置よりもやや時計回り方向に回った位置に来ている。
【００６０】
図１２に示す状態では、上記操作釦１０を押圧することによってパネル体３が閉まった状態とされ、本体部２の挿脱口４等が外観上全く視認できず、また、パネル部３Ｂが裏側（本体部側）となっているので、パネル部３Ａだけがユーザーに対して呈示されたパネルとなる。
【００６１】
図１３は、上記操作釦１３を押圧した後、パネル体３が完全に開き切った状態を示しており、前記した第２の状態に相当する。つまり、駆動カム２２を、図１２の状態から時計回り方向に回転させていったときに、アーム２９、３０のそれぞれ係合部２９ｂ、３０ｂがカム２３、２４における反対側の端に来た状態を示している。
【００６２】
アーム２９の係合部２９ｂがカム２３の他端（図１２とは反対側の端）に来ており、当該アーム２９の係合突部２９ｃについてはスライド溝３１の中央よりもやや回動支持部３０ｃ側に寄った位置にある。
【００６３】
また、アーム３０の係合部３０ｂがカム２４の他端（図１２とは反対側の端）に来た状態となっている。
【００６４】
検出手段２７の検出子２７ａは、駆動カム２２の周面部２５によって図の右方に押されて回動された状態となっており、これによってパネル体が開かれた状態（オープン位置）であることが検知される。また、検出手段２８の検出子２８ａについては、駆動カム２２の周面部２６の側に突出した状態とされる。
【００６５】
尚、目印ＰＭは、検出手段２７にほぼ対応する位置に来ている。
【００６６】
図１３の状態では、パネル部３Ｂの操作面及び表示面が手前側（ユーザー側）を向いて傾いている。即ち、パネル部３Ａが裏側（下側）となっており、パネル部３Ｂがユーザーに対して呈示されたパネルとなる。
【００６７】
図１４乃至図１６は、パネル部３Ａを取り外す場合の各部の状態や動作を示すものである。
【００６８】
図１４は、パネル部の取り外し位置を示しており、パネル部３Ａの支持部（本例ではパネル部３Ｂ）が機器の手前側に傾いた状態に規定されている。即ち、図１２の状態からパネル体が右側（前側）に傾いた状態になっている。
【００６９】
この場合、アーム２９の係合部２９ｂはカム２３の途中（軌跡Ｍの中間地点を超えない途中位置）に来ており、当該アーム２９の係合突部２９ｃについてはスライド溝３１の中央よりも回動支持部３０ｃ側に寄った位置にある。
【００７０】
また、アーム３０の係合部３０ｂは、カム２４の途中（軌跡Ｎの中間地点を超えない途中位置）に来た状態となっており、当該アーム３０の回動支持部３０ｃは、上記係合突部２９ｃの左下方に位置している。
【００７１】
検出手段２７の検出子２７ａは、駆動カム２２の周面部２６に接触しておらず、真っ直ぐな状態となっており、中立位置（検出子２７ａが左右に回動していない位置）を示している。また、検出手段２８の検出子２８ａについては、駆動カム２２の周面部２５と２６との境界付近において突出した状態とされる。即ち、当該検出子２８ａはそれまで、図１２に示すように、駆動カム２２の周面部２５との当接によって引っ込んだ状態となっていたが、駆動カム２２の回転によりその周面部２５から周面部２６へとに移行する際に突出した状態となる。このときの検出子２８ａの状態変化が検知されて上記取り外し位置に来たことが分かる。
【００７２】
尚、目印ＰＭは、検出手段２７とは反対側の位置から時計回り方向にやや回った位置に来ている。
【００７３】
図１５は、傾動状態のパネル体３から、矢印に示す方向にパネル部３Ａを取り出す様子を示しており、各アームとカムとの関係や検出手段については、図１４と同じ状態である。尚、パネル部３Ａをパネル部３Ｂから取り外すときの操作や手順については既述の通りである。
【００７４】
図１６は、パネル部３Ａが取り外された後、自動的に復帰して、図１２と同じ状態（但し、パネル部３Ａが取り外されている。）となった様子を示している。
【００７５】
この場合には、駆動カム２２が図の反時計回り方向に回転されるため、支持部であるパネル部３Ｂが後退する。そして、パネル部３Ｂの姿勢が取り出し前の元の位置に復帰するため、当該パネル部３Ｂによって本体部２の前面２ａが閉じられ、ディスクの挿脱口等が隠された状態となる。パネル部３Ａが取り外されているので、装置を正面からみた場合の外観として、パネル部３Ｂの裏面側（図５参照）が露呈している。
【００７６】
パネル部３Ａが取り外されたことは、パネル部３Ｂに設けられた結合検出用スイッチ１７によって検出されるようになっており、その後は、傾斜状態とされていたパネル部３Ｂの姿勢が、ほぼ垂直な状態となって本体部２の前面を閉じる姿勢へと自動的に駆動されて、最終的に図１６の状態になる。尚、各アームとカムとの関係や検出手段の状態等については、図１２と同じ状態であるのでそれらの説明を省略する。
【００７７】
このように、パネル部３Ａを取り外した後は、駆動機構によってパネル部３Ｂを本体部側に後退させて、当該パネル部を取り外す前の状態に自動復帰させるように構成すると、パネル部３Ｂが本体部から突出したままの状態で放置されないので当該パネル部３Ｂが邪魔にならない。また、そのために必要な操作が不要であるので、使い易いものとなる。
【００７８】
尚、電子機器１内にはマスタ制御用のマイクロコンピュータが設けられていて、当該コンピュータのＣＰＵ（中央処理装置）が実行するプログラムの一部として、例えば、図１７、図１８に示す処理用のサブルーチンが用意されている。そして、これらの図については、本発明に関係する部分を抜粋して示している。
【００７９】
図１７は、パネル体を開いてパネル部３Ｂを使用する手順の流れを示すフローチャート図である。
【００８０】
先ず、ステップＳ１ではパネル体３が閉じた状態になっている（図１２参照。
）。
【００８１】
次ステップＳ２でパネル部３Ａの操作釦１３を押すと、次ステップＳ３では、モータの正転により駆動カム２２が回転する（図１２の時計回り方向の矢印を参照。）。
【００８２】
そして、ステップＳ４で、検出手段２７によってオープン位置の検出がなされると（図１３参照）、モータの電流値についての検出が開始される。ステップＳ５に進んで、モータ電流値が閾値以上であることが検出されると、次ステップＳ６ではモータの回転が停止されて、よって駆動カム２２の回動が止まる。このときのカム位置（位相）がオープンポジションであり、図１３に示すようにパネル体が開いた状態である。
【００８３】
尚、パネル体を閉じるときには、パネル部３Ｂの操作釦１０を所定時間（例えば、２秒程度）押し続けると、今度はモータが逆転して、上記の説明とは正反対の過程を辿る。つまり、検出手段２７によってクローズ位置の検出がなされ、また、モータ停止時のカム位置（位相）がクローズポジションであって、図１２に示すようにパネル体が閉じた状態になる。
【００８４】
図１８は、パネル体を取り外し位置での姿勢にして、パネル部３Ａを取り外す手順の流れを示すフローチャート図である。
【００８５】
先ず、ステップＳ１１ではパネル体３が閉じた状態になっている（図１２参照。）。
【００８６】
次ステップＳ１２でパネル部３Ａの操作釦１３を、所定時間（例えば、２秒程度）押し続ける。すると、次ステップＳ１３では、モータの正転により駆動カム２２が回転する（図１２の時計回り方向の矢印を参照。）。
【００８７】
そして、ステップＳ１４で検出手段２８によりパネル部３Ａの取り外し位置が検知され（図１４参照。）、これによってステップＳ１５ではモータが停止するので、駆動カム２２の回転が止まる。
【００８８】
次ステップＳ１６で、パネル部３Ａが取り外されたことが結合検出用スイッチ１７により検知されると、次ステップＳ１７でモータが逆転するので、駆動カムがそれまでとは逆方向に回転する（図１６に示す反時計回り方向の矢印を参照。）。そして、次ステップＳ１８では、検出手段２７によりクローズ位置が検知された後、モータが停止する。この時のカム位置（位相）がクローズポジションであって、図１６に示すようにパネル体が閉じた状態になる（パネル部３Ｂの自動復帰）。
【００８９】
しかして、上記した構成によれば、下記に示す各種の利点が得られる。
【００９０】
・パネル部３Ａの取り外し位置においてパネル部３Ｂが手前に前進して傾いた状態となるので、パネル部３Ａを取り出し易い。また、取出後には、パネル部が自動的に元の状態に戻るので使い易く、本体部の前面がパネル部３Ｂによって閉じられるので、塵埃等の本体部への進入を防止できる。
【００９１】
・２つのパネル部３Ａ、３Ｂについて、その一方のパネル部３Ａでは操作釦等を極力省いて表示面を主体とし、視認性の良い大きな表示素子や表示装置を組み込むことで主に表示を担当させ、また、他方のパネル部３Ｂでは、必要最小限の表示素子を用いるとともに、必要な大きさの操作釦を配置することで主に操作を担当させるといった具合に、各パネル部の役割分担を変えたり、あるいはそれぞれのパネル部の特徴を生かしたデザインが可能となるので、設計上の自由度を高めることができる。
【００９２】
・表裏のパネル部についての意匠が大幅に相違するように設計して、各パネル部を切り替えることで、１台で２通りのデザインをもった製品を実現することができるので、外観上の顕著な特徴を装置にもたせることにより商品性の向上に役立てることができる。
【００９３】
【発明の効果】
以上に記載したところから明らかなように、請求項１に係る発明によれば、一方のパネル部を取り外す際に、その支持部（他方のパネル部）が機器の手前側に傾いた状態となるので、一方のパネル部を支持部（他方のパネル部）から容易にかつ迅速に取り外すことができる。尚、一方のパネル部の取り外しができるように構成することで、設計上の自由度が増すとともに、当該一方のパネル部を外した場合に装置外観上はパネルのない状態として視認されるので、防犯対策として有効である。
【００９４】
また、請求項２に係る発明によれば、一方のパネル部が取り外された後に、支持部（他方のパネル部）の姿勢が取出前の元の位置に復帰するので、支持部（他方のパネル部）が突き出たままの状態にならず、また、支持部（他方のパネル部）を閉めるための操作等が不要であるので使い易い。
【図面の簡単な説明】
【図１】本発明に係る電子機器の構成例を示す正面図である。
【図２】本体部とパネル体を示す側面図である。
【図３】図４とともにパネル部を示すものであり、本図は一方のパネル部を示す。
【図４】取り外し可能なパネル部を示す図である。
【図５】図６とともにパネル部３Ａの取り付けについて説明するための図であり、本図はパネル部３Ｂの裏面を示す。
【図６】パネル部３Ａの裏面を前方から透視して示す図である。
【図７】図８とともに、パネル部３Ｂに対するパネル部３Ａの取り付けについて説明するための図であり、本図は取り付け直前の状態を示す。
【図８】取り付け後の状態を示す図である。
【図９】係合軸とフック部材との係合関係について説明するための図である。
【図１０】図１１乃至図１６とともに、パネル体の駆動機構について説明するための図であり、本図は駆動カムとその検出手段を示す。
【図１１】パネル体とその駆動アームを示す図である。
【図１２】パネル体が閉じられた状態を示す図である。
【図１３】パネル体が開かれた状態を示す図である。
【図１４】図１５及び図１６とともに、パネル部３Ａを取り外す場合の動作について説明するための図であり、本図はパネル部が取り外し位置に来ている状態を示す。
【図１５】パネル部３Ａを取り出す様子を示す図である。
【図１６】パネル部３Ａの取り外し後にパネル部３Ｂがクローズ位置に戻った状態を示す図である。
【図１７】パネル体を開いてパネル部３Ｂを使用する手順例を示すフローチャート図である。
【図１８】パネル体を取り外し位置での姿勢にして、パネル部３Ａを取り外す手順例を示すフローチャート図である。
【符号の説明】
１…電子機器、３…パネル体、３Ａ…一方のパネル部、３Ｂ…支持部（他方のパネル部）
【図１】
0004671086.tif 000002
【図２】
0004671086.tif 000003
【図３】
0004671086.tif 000004
【図４】
0004671086.tif 000005
【図５】
0004671086.tif 000006
【図６】
0004671086.tif 000007
【図７】
0004671086.tif 000008
【図８】
0004671086.tif 000009
【図９】
0004671086.tif 000010
【図１０】
0004671086.tif 000011
【図１１】
0004671086.tif 000012
【図１２】
0004671086.tif 000013
【図１３】
0004671086.tif 000014
【図１４】
0004671086.tif 000015
【図１５】
0004671086.tif 000016
【図１６】
0004671086.tif 000017
【図１７】
0004671086.tif 000018
【図１８】
0004671086.tif 000019